(57)【特許請求の範囲】
【請求項１】
感光性の印刷マスターを供給される露光ステージ、原稿をセットされる原稿台、同原稿台の原稿画像を前記印刷マスターに投影する露光光学系を機体ハウジングの内部に内蔵し、前記露光ステージで原稿画像を静電潜像化された印刷マスターの現像・定着を行って印刷用原版を得る製版機において、前記露光ステージの表面に取り付けることができる着脱可能なマスクユニットを備え、同マスクユニットは、露光ステージに固定されるマスクフレームに沿って印刷マスターの送り方向に対して略直角な幅方向に位置制御されるマスク枠を有し、このマスク枠には前記印刷マスターの表面を部分的に覆うことができる少なくとも１枚の遮光マスク板が固定され、前記原稿台と装置固定部との間には、機体ハウジングの所定の初期位置に原稿台を鎖錠する初期位置ラッチを備え、この初期位置ラッチは可動台駆動モータによる前記原稿台の幅方向位置制御時に解錠されることを特徴とする製版機。
【請求項２】
前記原稿台と装置固定部との間に設けられかつ機体ハウジングの所定の初期位置に原稿台を鎖錠する初期位置ラッチと、可動台駆動モータにより前記幅方向に位置制御できる可動台と、この可動台と前記原稿台との間に設けられかつ前記可動台駆動モータによる原稿台の位置制御の際に前記可動台と前記原稿台との関係を拘束する原稿台ラッチとを備え、この初期位置ラッチは可動台駆動モータによる前記原稿台の位置制御時に解錠され、前記原稿台ラッチは、前期遮光マスク板の移動による部分露光の全てが終了した後、自動的に解錠されることを特徴とする請求項１記載の製版機。
【発明の詳細な説明】
【０００１】
【発明の属する技術分野】
本発明は印刷用原版を作成する製版機に関し、特に、大判印刷マスターを処理する大型製版機に関する。
【０００２】
【背景技術】
周知のように、印刷用原版となる大判印刷マスターにおいては、大面積の印刷マスター表面全体を有効に活用するため、印刷マスターの表面の異なった位置に複数の画像を別々に露光させたい場合（所謂：２面付け）がある。
【０００３】
このような場合、従来では、一枚の大判印刷マスターの表面に複数の画像を別々に露光させる大型製版機が特公平７−１２６５５号公報により提案されている。即ち、この大型製版機においては、原稿画像が光学的に投影される露光ステージの表面の複数位置に印刷マスターを停止させ、この停止位置に応じて印刷マスターの表面を部分的に覆う遮光幕を露光ステージに付設し、露光ステージの表面での印刷マスターの停止位置制御並びに前記遮光幕の開閉制御により、印刷マスターの表面の異なった位置に順次原稿画像を静電潜像化する。
【０００４】
【発明が解決しようとする課題】
しかしながら、このような従来の大型製版機の構造によると、印刷マスターを露光ステージの複数の位置で停止させて、印刷マスターの表面の異なった位置に複数の原稿画像を露光するから、印刷マスターの送り方向に隣り合った状態の原稿画像を露光できるが、同印刷マスターの送り方向に対して直角な幅方向に隣り合った複数の原稿画像を露光することはできなかった。
つまり、実際の印刷工程では、印刷や帳合能率等の都合から印刷マスターの幅方向に隣り合った原稿画像を配置し、印刷後に印刷シートを折り畳み・切断して印刷物としたい場合があるけれども、従来の前述したような送り方向の２面付け構造では、このような要望を満たすことができなかった。
【０００５】
そして、前述したような複数の原稿画像の部分露光の場合、原稿台にセットされた原稿の原稿画像を、印刷マスターの表面の任意の位置に静電潜像化したい場合があるけれども、前述したような従来の自動二面付け機能を有した大型製版機では、原稿台の位置が不変であるので、セットされた原稿の位置を修正することができないから、印刷マスターの希望する位置に所定の倍率の原稿画像を露光することはできなかった。
【０００６】
本発明の目的は、以上に述べたような大型製版機の問題に鑑み、露光ステージの表面に停止された印刷マスターの表面の異なった位置に原稿画像を部分的に順次静電潜像化でき、しかも、原稿台にセットされた原稿の変倍露光や印刷マスターの任意位置への部分露光が可能な製版機を得るにある。
【０００７】
【課題を解決するための手段】
この目的を達成するため、本発明は、感光性の印刷マスターを供給される露光ステージ、原稿をセットされる原稿台、同原稿台の原稿画像を前記印刷マスターに投影する露光光学系を機体ハウジングの内部に内蔵し、前記露光ステージで原稿画像を静電潜像化された印刷マスターの現像・定着を行って印刷用原版を得る製版機において、前記露光ステージの表面に取り付けることができる着脱可能なマスクユニットを備え、同マスクユニットは、露光ステージに固定されるマスクフレームに沿って印刷マスターの送り方向に対して略直角な幅方向に位置制御されるマスク枠を有し、このマスク枠には前記印刷マスターの表面を部分的に覆うことができる少なくとも１枚の遮光マスク板が固定され、前記原稿台と装置固定部との間には、機体ハウジングの所定の初期位置に原稿台を鎖錠する初期位置ラッチを備え、この初期位置ラッチは可動台駆動モータによる前記原稿台の幅方向位置制御時に解錠されることを特徴とする製版機を提案するものである。
【０００８】
後述する本発明の好ましい実施例の説明においては、前記原稿台と装置固定部との間に設けられかつ機体ハウジングの所定の初期位置に原稿台を鎖錠する初期位置ラッチと、可動台駆動モータにより前記幅方向に位置制御できる可動台と、この可動台と前記原稿台との間に設けられかつ前記可動台駆動モータによる原稿台の位置制御の際に前記可動台と前記原稿台との関係を拘束する原稿台ラッチとを備え、この初期位置ラッチは可動台駆動モータによる前記原稿台の位置制御時に解錠され、前記原稿台ラッチは、前期遮光マスク板の移動による部分露光の全てが終了した後、自動的に解錠される製版機
が説明される。
【０００９】
【発明の実施の形態】
以下、図面について本発明の実施例の詳細を説明する。
図１は本発明による大型製版機を示し、この製版機においては表面積が非常に大きな大判印刷マスターＸを処理できる。
【００１０】
即ち、外光を遮蔽できる機体ハウジング１の内部には表面に原稿を位置できる原稿台２が位置され、原稿台レール３Ａ，３Ｂに沿って図１の紙面と直角な方向に引き出すことができる同原稿台２の表面の原稿の画像はミラー４及び投影レンズ５を介して詳細を後述する露光ステージ６の表面に結像される。
また、前記機体ハウジング１の上部にはマスター供給台７が用意され、このマスター供給台７上に堆積状態におかれる複数枚の印刷マスターＸは真空繰出ヘッド８により１枚ずつ取り出される。
なお、前述したミラー４及び投影レンズ５の位置は、原稿画像の変倍露光が行われる場合、ミラー位置調整モータ１５及びレンズ位置制御モータ９により光軸方向に位置変更される。
【００１１】
そして、帯電器１０を通過した印刷マスターＸは機体ハウジング１の右側内部に配置される露光ステージ６に送られ、同露光ステージ６の表面で一時的に停止され、この停止中に、印刷マスターＸの感光面に原稿の画像が露光・潜像化される。また、原稿画像を潜像化された印刷マスターＸは機体ハウジング１の下部の湿式現像装置１１に送られ、この湿式現像装置１１で原稿画像が現像され、トナー現像された原稿画像は、印刷マスターＸが加熱定着装置１２を通過する間に定着される。
なお、原稿画像を定着された印刷マスターＸは、非画像部感光層を剥離させるか否かの後処理の有無に応じて、後処理装置１３をもつ経路または後処理装置のない経路を経て、排紙トレー１４上に排出される。
【００１２】
図２及び図３は前述した露光ステージ６の詳細を示し、この露光ステージ６は上下方向に対して僅かに傾けられた吸引ボックス２０を備え、この吸引ボックス２０は表面に多数の吸着孔を形成した複数の無端状送りベルト２１により取り囲んである。つまり、帯電器１０からの印刷マスターＸはベルト駆動モータ２２の駆動により無端状送りベルト２１で送り方向、即ち上下方向に駆動され、無端状送りベルト２１の停止により露光ステージ６の規定の位置に停止される。
【００１３】
また、前記露光ステージ６は印刷マスターＸの表面を部分的に覆って同表面の感光面を順次露光できるマスクユニット３０を備える。図示実施例の場合、このマスクユニット３０は前記吸引ボックス２０の左右側面に固定される左右取付板３１ａ，３１ｂと、これらの左右取付板３１ａ，３１ｂの上下端部に固定される上下マスクフレーム３１ｃ，３１ｄとを備え、これらの上下マスクフレーム３１ｃ，３１ｄの間にはこれらによって左右方向（印刷マスターＸの送り方向に直角な幅方向）に案内される長方形の取り外し可能なマスク枠３２と同マスク枠３２に固定された遮光マスク板３８Ａ，３８Ｂとが支持される。
【００１４】
即ち、マスク枠３２の上下ブラケットには前記上下マスクフレーム３１ｃ，３１ｄに沿って案内されるスライダ板３３Ａ，３３Ｂが固定され、これらのスライダ板３３Ａ，３３Ｂは対応する上下マスクフレーム３１ｃ，３１ｄの端部のゼンマイ３４Ａ，３４Ｂにそれぞれ結合されて、図３の左側方向への移動習性を与えられる。また、前記各スライダ板３３Ａ，３３Ｂには、マスクモータ３５で駆動される複数のシーブ３６及びこれらのシーブ３６間に掛け渡されたワイヤ３７からなるワイヤシーブ装置が掛け渡されるから、マスクモータ３５の駆動によりマスクフレーム３１ｃ，３１ｄの上下端部は露光ステージ６上の印刷マスターＸに対する平行度を保った状態で平行移動できる。
【００１５】
図３に示すように、前記マスク枠３２の裏面には印刷マスターＸの幅方向に隣り合った一対の遮光マスク板３８Ａ，３８Ｂが固定され、これらの遮光マスク板３８Ａ，３８Ｂにより印刷マスターＸの表面が部分的に遮光される。図示実施例の場合、露光ステージ６上での印刷マスターＸの表面は、図３の左右方向、即ち印刷マスターＸの幅方向に略４等分され、印刷マスターＸの隣り合わない等分表面部が選択的に短冊状の遮光マスク板３８Ａ，３８Ｂで覆われる。
【００１６】
前記各遮光マスク板３８Ａ，３８Ｂの上下端部、即ち印刷マスターＸの表面の非画像部に相当する部分には、幅方向突出部３８ａが一体成形されると共に、幅方向に隣り合わされた遮光マスク板３８Ａ，３８Ｂの対応部分には、これらの幅方向突出部３８ａに対応した幅方向切欠き３８ｂが形成される。つまり、これらの幅方向切欠き３８ｂに対応した位置には、原稿の非画像部に書き込まれる裁断用基準線ｙ（通常、「トンボ」と略称される。）の画像が対応され、対応した原稿の部分画像と共に同裁断用基準線ｙが印刷マスターＸの表面に露光される。
【００１７】
そして、マスク枠３２が移動されて第二回目の部分露光が行われる場合、幅方向切欠き３８ｂの位置には隣り合った遮光マスク板３８Ａ，３８Ｂの幅方向突出部３８ａが位置することができるから、先に露光された基準線ｙの静電潜像は、同幅方向突出部３８ａによる遮光により保存される。
なお、図示実施例の場合、マスク枠３２の左端部には、上下端部に幅方向突出部３８ａのみが一体成形された補助マスク板３９が固定され、同補助マスク板３９の幅方向突出部３９ａは右側に隣り合った遮光マスク板３８Ａの幅方向切欠き３８ｂに対応される。
【００１８】
図４から図６は原稿を表面に位置できる原稿台２及びその周辺部を示し、原稿台レール３Ａ，３Ｂに沿って図１の紙面の上方に引き出すことができる同原稿台２の表面は、位置決めされた原稿を保持する開閉可能な原稿ガラス５０で覆ってある。
そして、前記原稿台２の下方の機体ハウジング１の支持壁１ａの表面には前記原稿台レール３Ａ，３Ｂと平行な可動台レール５１が固定され、同可動台レール５１に沿って移動できる可動台５２が前記原稿台２の底面とこの可動台レール５１との間に配置される。
【００１９】
前記可動台５２の側面には前記支持壁１ａに支持する一対のプーリ５３Ａ，５３Ｂ間に掛け渡したタイミングベルト５４の一部が固定され、前記タイミングベルト５４はステッピングモータで構成する可動台駆動モータ５５のタイミングプーリ５５ａにより駆動できる。即ち、可動台５２は可動台駆動モータ５５の駆動により可動台レール５１の長さ方向に位置制御されるけれども、同可動台５２に対しては原稿台ラッチ６０により原稿台２を固定状態におくことができるから、可動台５２に原稿台２が固定された状態では、可動台駆動モータ５５に対する移動指示信号により、原稿台２が露光ステージ６の幅方向に所定距離だけ位置制御されことになる。
【００２０】
可動台５２に対する原稿台２の固定のための原稿台ラッチ６０は前述した可動台５２の端部に固定される一対の原稿台ストライカ６１Ａ，６１Ｂを備え、これらの原稿台ストライカ６１Ａ，６１Ｂには枢支軸６２で回動可能に原稿台２に支持する原稿台フック６３Ａ，６３Ｂがそれぞれ対向される。即ち、前記各原稿台フック６３Ａ，６３Ｂの前面には原稿台２の後面に弾力的に接触できる付勢ばね６４Ａ，６４Ｂが固定されるが、前記原稿台フック６３Ａ，６３Ｂの操作端部６３ａ間には詳細を図５，図６に示す第１横断部材６５が結合される。
そして、この第１横断部材６５の長さ方向中央の接手片６５ａには、原稿台２の後面に固定する原稿台釈放ソレノイド６６（釈放作動器）の操作プランジャ６６ａがピン接手されるから、同原稿台釈放ソレノイド６６が励磁されると、原稿台フック６３Ａ，６３Ｂが枢支軸６２を中心として図５の時計方向に回動され、各原稿台フック６３Ａ，６３Ｂの先端フック６３ｂが原稿台ストライカ６１Ａ，６１Ｂのストライカ溝６１ａから外れる。
【００２１】
前記原稿台２と前記支持壁１ａとの間には、原稿をセットされた原稿台２の初期セット位置を定める初期位置ラッチ７０が設けられる。即ち、前記可動台レール５１の端部には断面を”Ｌ”字状に成形される一対の初期位置ストライカ７１Ａ，７１Ｂが固定され、これらの初期位置ストライカ７１Ａ，７１Ｂには前述した枢支軸６２に支持される一対の初期位置フック７２Ａ，７２Ｂがそれぞれ対向される。これらの初期位置フック７２Ａ，７２Ｂの操作端部７２ａ間には、前述した第１横断部材６５の手前側に位置される第２横断部材７３が結合される。
【００２２】
前記第２横断部材７３の略中央の接手片７３ａには、原稿台２の後面に固定するロック解除ソレノイド７４の操作プランジャ７４ａがピン接手されるから、同ロック解除ソレノイド７４が励磁されると、初期位置フック７２Ａ，７２Ｂが枢支軸６２を中心として図５の時計方向に回動され、各初期位置フック７２Ａ，７２Ｂの先端フック７２ｂが対応する初期位置ストライカ７１Ａ，７１Ｂのストライカ溝７１ａから外れる。
【００２３】
前述した第２横断部材７３には原稿台２の前部のロック解除ハンドル８１から導いた解除ロッド８２の後端部８２ａが結合される。つまり、前端部寄りの部分を原稿台２の内部の案内・支持ブラケット８３で摺動可能に支持された解除ロッド８２の前端部には、原稿台２の前面に形成されるエスカッション２ｂ中のロック解除ハンドル８１が固定されるから、同エスカッション２ｂ中に指先を挿入してロック解除ハンドル８１を原稿台２の前方に引くことにより、ロック解除ソレノイド７４に拘りなく、マスクフレーム３１ｃ，３１ｄが強制操作され、原稿台２が機体ハウジング１並びに可動台５２から全く自由になる。
なお、図示は省略するけれども、前述したロック解除ハンドル８１と解除ロッド８２との間には、ロック解除ハンドル８１の牽引運動を解除ロッド８２の押圧運動に変換する変換機構が設けられる。
【００２４】
図示実施例の製版機は、以上のような構造であるから、原稿台２にセットされた原稿の一括露光を行う場合は、露光ステージ６からマスク枠３２とこれに固定された遮光マスク板３８Ａ，３８Ｂとを取り除くことにより行える。
つまり、これらの一括露光の場合、原稿台２に原稿をセットするには、ロック解除ハンドル８１を操作すると、このロック解除ハンドル８１の動きを伝える解除ロッド８２により第２横断部材７３が操作され、同第２横断部材７３に取り付けられた初期位置フック７２Ａ，７２Ｂが初期位置ストライカ７１Ａ，７１Ｂから強制的に外される。
【００２５】
この場合、第２横断部材７３の後方への動きは、同第２横断部材７３の直後に位置されている第１横断部材６５にも伝達され、同第１横断部材６５に支持されている原稿台フック６３Ａ，６３Ｂが原稿台ストライカ６１Ａ，６１Ｂから強制的に引き離される。この際、原稿台２と原稿台ストライカ６１Ａ，６１Ｂの間には付勢ばね６４Ａ，６４Ｂが蓄勢状態で介在されているから、これらの付勢ばね６４Ａ，６４Ｂの力により原稿台２が可動台５２から全く自由になる。
この結果、原稿台２を機体ハウジング１の外部に完全に引き出せるので、機体ハウジング１の外部で原稿台２に原稿をセットできる状態が得られる。
【００２６】
そして、原稿のセットの後、原稿台レール３Ａ，３Ｂに沿って原稿台２を機体ハウジング１の内部に戻せば、略初期位置にある可動台５２の原稿台ストライカ６１Ａ，６１Ｂに原稿台フック６３Ａ，６３Ｂが、初期位置ストライカ７１Ａ，７１Ｂに初期位置フック７２Ａ，７２Ｂがそれぞれ係合されて、原稿台２が完全に初期位置にロックされる。
したがって、一括露光の場合は、原稿台２を初期位置に保った状態で露光ステージ６の表面の印刷マスターＸに原稿画像が露光される。
【００２７】
次に、図７及び図８を用いて大判の印刷マスターＸの表面に複数回の原稿画像の露光を行う場合について説明する。
この二面付け露光の場合、露光ステージ６にマスク枠３２と同マスク枠３２に固定された遮光マスク板３８Ａ，３８Ｂがセットされ、これらが図３に示す位置におかれ、原稿をセットされた原稿台２は、初期位置フック７２Ａ，７２Ｂで鎖錠された初期位置に位置される。
【００２８】
即ち、この状態で第１回目の部分露光が行われると、図７に示すように、遮光マスク板３８Ａ，３８Ｂで覆われた印刷マスターＸの未露光部分以外の表面、つまり印刷マスターＸの左半部の中央寄りの部分に画像「Ａ1 ，Ａ2 」が、右半部の右端部寄りの部分に画像「Ｂ1 ，Ｂ2 」が静電潜像化される。
【００２９】
この後、第二回目の部分露光のため、ロック解除ソレノイド７４が励磁されて初期位置フック７２Ａ，７２Ｂが初期位置ストライカ７１Ａ，７１Ｂから引き離され、可動台駆動モータ５５の駆動により原稿台２と一体的な状態にある可動台５２が原稿画像「破線Ａ1 ，Ａ2 」及び「破線Ｂ1 ，Ｂ2 」が先の遮光マスク板３８Ａ，３８Ｂの位置に対応する位置まで移動される。
これと同時に、マスクモータ３５によりマスク枠３２が図３の右方向に移動され、同マスク枠３２は各遮光マスク板３８Ａ，３８Ｂが先に潜像化された画像「Ａ1 ，Ａ2 」及び画像「Ｂ1 ，Ｂ2 」を完全に覆う位置に停止される。
各遮光マスク板３８Ａ，３８Ｂの同停止位置では、画像「Ａ1 ，Ａ2 」と共に露光された裁断用基準線ｙが遮光マスク板３８Ａ，３８Ｂの幅方向突出部３８ａで覆われた状態となる。
【００３０】
このような制御の後、第二回目の露光が行われるが、この第二回目の露光では、図８に示すように、一回目露光で静電潜像とされた画像「破線Ａ1 ，Ａ2 」及び画像「破線Ｂ1 ，Ｂ2 」が対応する遮光マスク板３８Ａ，３８Ｂで遮光され、印刷マスターＸの左半部の左端部寄りの部分に画像「Ａ1 ，Ａ2 」が、印刷マスターＸの右半部の中央寄りの部分に画像「Ｂ1 ，Ｂ2 」が静電潜像化される。
この場合、画像「Ａ1 ，Ａ2 」及び画像「Ｂ1 ，Ｂ2 」の非画像部に裁断用基準線ｙが同時に露光されるが、これらの裁断用基準線ｙは、印刷マスターＸを用いた印刷物の帳合・切断時の目安とされる。
【００３１】
具体的に言えば、印刷部数が比較的多く（１原版で刷れる以上）、小型のブック物（例えば学生手帳や社員手帳等）の印刷の場合、１枚の印刷マスターＸの画像「Ａ1 ，Ａ2 」と画像「破線Ａ1 ，Ａ2 」とが、また、画像「Ｂ1 ，Ｂ2 」と画像「破線Ｂ1 ，Ｂ2 」とがそれぞれ同一内容とするには、画像「Ａ1 ，Ａ2 」及び画像「Ｂ1 ，Ｂ2 」の露光後、可動台駆動モータ５５により原稿台２を一定距離だけ印刷マスターＸの幅方向と平行な方向に移動させ、画像「Ａ1 ，Ａ2 」及び画像「Ｂ1 ，Ｂ2 」を潜像化することにより、大判の高価な印刷マスターＸの全面を充分に活用した処理を行うことができる。
【００３２】
前述したような二面付け露光の際の全ての部分露光が終了すると、自動的に原稿台釈放ソレノイド６６が励磁され、原稿台フック６３Ａ，６３Ｂが原稿台ストライカ６１Ａ，６１Ｂから外れる。
このため、原稿台２は可動台５２から自由になるので、可動台５２の位置に拘りなく、原稿台２を機外に手で引き出すことができる状態となるため、次の原稿を迅速に原稿台２上にセットできる。
【００３３】
【発明の効果】
以上の説明から明らかなように、本発明によれば、露光ステージに対する印刷マスターの送り方向に略直角な幅方向に移動可能な遮光マスク板をもつマスクユニットを露光ステージに装着することにより、印刷マスターの感光表面を部分的に順次露光できるため、大判の印刷マスターの全面を充分に活用でき、また、遮光マスク板の両端部に裁断用基準線を露光できる幅方向切欠き及びこれに対応した幅方向突出部を設けるので、同裁断用基準線を利用して印刷シートの印刷画像の帳合や切断を行うことができる。
そして、請求項３及び請求項４記載の発明によれば、可動台駆動モータにより原稿台を必要な位置に移動できるから、等倍露光のみならず、変倍二面付けや遮光マスクの形状を変えることで、２〜数等分二面付けも可能となり、大判印刷マスターの使用による印刷物の原価削減や印刷の能率化を行うことができる。
【図面の簡単な説明】
【図１】本発明による製版機の全体断面図である。
【図２】同製版機の露光ステージの斜視図である。
【図３】同露光ステージの一部切欠き正面図である。
【図４】同製版機の原稿台の一部切欠き全体斜視図である。
【図５】図４の５−５線に沿った要部拡大斜視図である。
【図６】同製版機の初期位置ラッチ及び原稿台ラッチの要部拡大斜視図である。
【図７】同製版機による第一回目露光による潜像状態の印刷マスターの正面図である。
【図８】同製版機による第二回目露光による潜像状態の同印刷マスターの正面図である。
【符号の説明】
Ｘ              印刷マスター
ｙ              裁断用基準線
１              機体ハウジング
２              原稿台
３Ａ，３Ｂ      原稿台レール
６              露光ステージ
７              マスター供給台
２０            吸引ボックス
２１            無端状送りベルト
３０            マスクユニット
３１ｃ，３１ｄ  マスクフレーム
３２            マスク枠
３８Ａ，３８Ｂ  遮光マスク板
５１            可動台レール
５２            可動台
５５            可動台駆動モータ
６０            原稿台ラッチ
６１Ａ，６１Ｂ  原稿台ストライカ
６３Ａ，６３Ｂ  原稿台フック
７１Ａ，７１Ｂ  初期位置ストライカ
７２Ａ，７２Ｂ  初期位置フック
８１            ロック解除ハンドル
８２            解除ロッド
【図１】
0003648972.tif 000002
【図２】
0003648972.tif 000003
【図３】
0003648972.tif 000004
【図４】
0003648972.tif 000005
【図５】
0003648972.tif 000006
【図６】
0003648972.tif 000007
【図７】
0003648972.tif 000008
【図８】
0003648972.tif 000009